(57)【特許請求の範囲】
【請求項１】
上下方向に昇降可能なテーブル本体と、
前記テーブル本体上に設けられ、載置された被検体の体軸方向において前後に移動するクレードルであって、前記前後の方向から見た被検体載置面の境界線が凹形の曲線をなしているクレードル本体部、及び、前記クレードル本体部の両方の側部より側方に突出して横付けされた搬送機の被検体が載置されたマット近傍まで伸びており上面がフロアに対して平行な平面を形成している突出部からなるクレードルと、
前記前後の方向から見てＬ字形状をなしており、前記テーブル本体の両方の側部に回転可能にそれぞれ設けられたガードであって、使用時には、載置された被検体が前記クレードルから落ちないように、スライド部を突出させて前記クレードルの突出部の側部近傍から上方に向かって延出する部分を形成し、格納時には、前記横付けされた搬送機と干渉しないように、スライド部を収納して前記クレードルの突出部とフロアとの間の空間に位置するガードとを具備しており、
前記横付けされた搬送機上の被検体を前記突出部を介して前記クレードル本体上に移し換えることを特徴とするテーブル。
【発明の詳細な説明】
【０００１】
【発明の属する技術分野】
本発明は、MR(Magnetic Resonance)装置,放射線CT(Computed Tomography)装置等に設けられるテーブルに関する。
【０００２】
【従来の技術】
MR装置,放射線CT装置には、被検体をガントリの開口内へ搬送するテーブルが設けられている。
【０００３】
このような装置で、自立歩行ができない被検体を検査する場合には、被検体を搬送機、例えば、ストレッチャー(Stretcher)と呼ばれる車輪が付いた寝台を用いて搬送し、ストレッチャーをこれら装置のテーブルに横付けし、被検体をテーブル上に移し換えている。
【０００４】
図５は、被検体の移し換え作業を説明する図である。図において、２はMR装置本体に隣接して設けられるテーブルである。テーブル２は上下方向に(図５において矢印I方向)に昇降可能なテーブル本体３と、テーブル本体３の上部で、水平方向に移動可能に設けられ、載置された被検体をMR装置本体の穴内へ搬送するクレードル４とからなっている。
【０００５】
５は自立歩行ができない被検体１０をテーブル２まで搬送するストレッチャーである。被検体１０は、ストレッチャー５にマット１２を介して載置される。ストレッチャー５のマット１２の載置面の側部には、被検体脱落防止用の手すり６,７が設けられている。これら手すり６,７の基端部６ａ,７ａはストレッチャー５に回転可能に設けられ、手すり６,７は回転端部側が上方に向かって延出する使用状態(手すり７の状態:被検体１０の脱落を防止する状態)と、下方に向かって延出する解除状態(手すり６の状態)との２つの状態を取ることが可能となっている。
【０００６】
尚、テーブル２においては、クレードル４の幅は被検体１０の肩幅程度しかないので、テーブル本体３にクレードル４の側部まで回り込む回り込み部３ａを形成し、自力でクレードル４上へ上がれる被検体１０がクレードル４上へ上がりやすいようにしている。
【０００７】
上記構成の動作を説明すると、ストレッチャー５で被検体１０を搬送している間は、手すり６,７は共に使用状態とされ、被検体１０のストレッチャー５からの脱落を防止している。ストレッチャー５をテーブル２に横付けする前に、テーブル２の側面と対抗する側の手すり(本例の場合は、手すり６)を解除状態とし、ストレッチャー５をテーブル２に横付けする。
【０００８】
次に、作業者１１はテーブル本体３を昇降させて、クレードル４とストレッチャー５のマット１２載置面とを略同じ高さにする。
そして、作業者１１は、テーブル２のストレッチャー５が横付けされた側と反対側の床上に設けた踏み台１３に上り、一方の足をテーブル２のクレードル４上にかけ、被検体１０が載置されたマット１２の側部を持ち、テーブル２のクレードル４へマット１２と共に被検体１０を移し換える。
【０００９】
【発明が解決しようとする課題】
しかし、上記構成のテーブル２においては、回り込み部３ａが形成されているので、テーブル２の側部からクレードル４に至るまでに距離(L)がある。一方、ストレッチャー５の手すり６の基端部６ａも幅方向に突出している。このため、ストレッチャー５をテーブル２の側部にできるだけ接近して横付けしても、被検体１０をクレードル４上へ移し換える距離が長くなり、作業者１１にとって作業性が悪い。
【００１０】
又、手すり６の基端部６ａがストレッチャー５のマット１２の載置面より上方に突出している。よって、この手摺り６の基端部６ａを乗り越えるために、作業者１１はマット１２のテーブル２側の側部を斜め上方に持ち上げた状態で、マット１２を引っ張る。マット１２を斜め上方に持ち上げると、被検体１０に姿勢変化を強いることとなり、更に、引っ張る距離が長くなると、例えば、脊椎損傷、骨折等の疾患によっては被検体１０にとって大きな負担となる。
【００１１】
本発明は、上記課題に鑑みてなされたもので、その目的は、被検体を搬送機から移し換える際に、作業者にとって作業性がよく、又、被検体にとって負担が少ないテーブルを実現することにある。
【００１２】
【課題を解決するための手段】
上記課題を解決する第１の発明は、上下方向に昇降可能なテーブル本体と、被検体が載置されるクレードル本体部、及び、該クレードル本体部の少なくとも一方の側部より側方に突出し、横付けされた搬送機の被検体が載置されたマット近傍まで伸びる突出部からなり、前記テーブル本体上に設けられるクレードルとを具備し、搬送機上の被検体を前記突出部を介して前記クレードル本体上に移し換えることを特徴とするテーブルである。
【００１３】
最初に、テーブル本体を上昇させ、クレードルの突出部をストレッチャー等の搬送機の被検体載置面より高くしておく。
次に、搬送機の側部がクレードルの突出部の下に潜り込むように搬送機をテーブルへ横付けし、その後、クレードルの突出部の上面が搬送機上に設けられたマットの被検体載置面と略同じ高さになるように、テーブル本体を下降させる。
【００１４】
そして、搬送機のマット上の被検体を突出部を介してクレードル本体部に移し換える。
このような構成によれば、クレードルの突出部の下に搬送機の側部を潜り込ませ、テーブル本体を下降させることにより、突出部の上面とマットの被検体載置面とが略同じ高さになると共に、クレードルのクレードル本体部と搬送機上の被検体との距離が短くなる。
【００１５】
よって、被検体を略水平に搬送できるので、被検体に姿勢変化を強いることなくなり、被検体にとって負担が少なくなる。
又、搬送距離も短くなるので、作業者にとって作業性が向上し、被検体にとっても搬送時間が短くなり、負担が少なくなる。
【００１６】
第２発明は、第１のの発明において、前記クレードルの突出部は、前記クレードル本体部の両方の側部に設けたことを特徴とするテーブルである。
突出部をクレードル本体部の両方の側部に設けたことにより、MR装置や放射線CT装置の設置場所が限定されず、又、最短距離で被検体が載置される搬送機をテーブルに横付けできるので、作業者にとって作業性がよくなる。
【００１７】
第３の発明は、第１又は第２の発明において、使用時には、前記クレードルの被検体載置面の側部近傍から上方に向かって延出する部分を有し、格納時には、前記クレードルの突出部とフロアとの間の空間で、横付けされる前記被検体の搬送機と干渉しない空間に位置するガードを設けたことを特徴とするテーブルである。
【００１８】
ガードの使用時には、クレードルの被検体載置面の側部近傍から上方に向かって延出する部分を有しているので、クレードル上に載置される被検体の脱落を防止する。
【００１９】
又、ガードの格納時には、クレードルの突出部とフロアとの間の空間で、横付けされる前記被検体の搬送機と干渉しない空間に位置するので、搬送機の被検体載置部をテーブルに横付けでき、被検体の移動距離が短くなり、作業者にとって作業性がよくなる。
【００２０】
更に、被検体にとっても、搬送時間が短くなり、負担が少なくなる。
このガードの構成例としては、前記テーブル本体の側部に回転可能に設けられた回転基部と、該回転基部の先端部より折曲し、前記回転基部が略水平状態の時には、前記クレードルの突出部の側部に位置すると共に、先端部が前記突出部より上方まで延出し、前記回転基部が略垂直状態の時には、先端部が前記クレードルの突出部より側方に突出しないように設定された折曲部とからなるものがある。
【００２１】
ガードの回転基部が略水平状態となった時は、折曲部はクレードルの突出部の側部に位置すると共に、先端部が突出部より上方まで延出するように設定されていることにより、クレードル上に載置される被検体の脱落を防止する。
【００２２】
又、ガードの回転基部が略垂直状態となった時は、折曲部は先端部がクレードルの突出部より側方に突出しないように設定されていることにより、被検体が載置される搬送機をクレードルに横付けした場合、被検体の移動距離が短くなり、作業者にとって作業性がよくなる。
【００２３】
更に、被検体にとっても、搬送時間が短くなり、被検体によっても負担が少なくなる。
【００２４】
【発明の実施の形態】
次に図面を用いて本発明の実施の形態を説明する。最初に、図２から図４を用いて本実施の形態例のテーブルが用いられるMR装置の全体構成を説明する。図２はMR装置の上面図、図３は正面図、図４は図２における左側面拡大図である。
【００２５】
図４において、１は被検体が挿入される穴１ａが形成されたMR装置本体、４０はMR装置本体１に隣接して設けられるテーブルである。テーブル４０は上下方向に(図３,図４において矢印I方向)に昇降可能なテーブル本体４１と、テーブル本体４１の上部で、水平方向(図２において矢印II方向)に移動可能に設けられ、載置された被検体をMR装置本体１の穴１ａ内へ搬送するクレードル４２とからなっている。
【００２６】
次に、図１を用いて、テーブル４０の詳細な説明を行なう。図１は本実施の形態例のテーブルの構成図である。
図において、被検体３０は、ストレッチャー２５の被検体載置面２５ａ上に設けられたマット３２、及び、マット３２上に設けられた滑りが良好なマット２９を介して載置される。ストレッチャー２５のマット３２の載置面の側部には、被検体脱落防止用の手すり２６,２７が設けられている。これら手すり２６,２７の基端部２６ａ,２７ａはストレッチャー２５に回転可能に設けられ、手すり２６,２７は回転端部側が上方に向かって延出する使用状態(手すり７の状態:被検体３０の脱落を防止する状態)と、下方に向かって延出する解除状態(手すり２６の状態)との２つの状態を取ることが可能となっている。
【００２７】
本実施の形態例のテーブル４０のクレードル４２は、被検体３０が載置されるクレードル本体部４２ｃと、クレードル本体部４２ｃの一方の側部に形成され、テーブル本体４１の一方の側部より更に側方に突出し、横付けされるストレッチャー２５上の被検体が載置されたマット３２近傍まで伸びる第１の突出部４２ａと、クレードル本体部４２ｃの他方の側部に形成され、テーブル本体４１の他方の側部より更に側方に突出し、横付けされるストレッチャー２５上の被検体が載置されたマット３２近傍まで伸びる第２の突出部４２ｂとからなっている。
【００２８】
又、テーブル本体４１の一方の側部には、テーブル本体４１の一方の側部に回転可能に設けられた回転基部５０と、回転基部５０の先端部より折曲する折曲部５１とからなる第１のガード５２が設けられている。更に、折曲部５１は、回転基部５０に連設された連設された連設部５３と、連設部５３に収納/突出可能に設けられたスライド部５４とからなっている。
【００２９】
テーブル本体４１の他方の側部には、テーブル本体４１の他方の側部に回転可能に設けられた回転基部６０と、回転基部６０の先端部より折曲する折曲部６１とからなる第２のガード６２が設けられている。更に、折曲部６１は、回転基部６０に連設された連設された連設部６３と、連設部６３に収納/突出可能に設けられたスライド部６４とからなっている。
【００３０】
そして、第１及び第２のガード５２,６２は、回転基部が略水平状態(図において、第２のガード６２の状態)である使用状態と、回転基部が略垂直状態(図において第１のガード５２の状態)である格納状態との２つの位置間を電動又は手動で移動可能となっている。
【００３１】
次に、上記構成の作動を説明する。ストレッチャー２５で被検体３０を搬送している間は、手すり２６,２７は共に使用状態とされ、被検体３０のストレッチャー２５からの脱落を防止している。ストレッチャー２５をテーブル４０に横付けする前に、テーブル４０の側面と対抗する側の手すり(本例の場合は、手すり２６)を解除状態とする。
【００３２】
一方、テーブル４０においても、ストレッチャー２５が横付けされる側のガード、本実施の形態例では、第１のガード５２を格納状態とする。このとき、折曲部６１のスライド部６４を連設部６３内に収納し、折曲部５１の先端部がクレードル４２の第１の突出部４２ａより側方に突出しないようにする。
【００３３】
第１のガード５２を格納状態とすると、クレードル４２の第１の突出部４２ａと、第１のガード５２の折曲部５１との間に、ストレッチャー２５の被検体載置面が位置することが可能な空間が形成される。
【００３４】
又、テーブル本体４１を上昇させ、クレードル４２の第１の突出部４２ａをストレッチャー２５の被検体載置面２５ａより高くしておく。
次に、ストレッチャー２５の側部がクレードル４２の第１の突出部４２ａの下に潜り込むようにストレッチャー２５をテーブル４０へ横付けし、その後、クレードル４２の第１の突出部４２ａの上面がストレッチャー２５上に設けられたマット３２の被検体載置面と略同じ高さになるように、テーブル本体４１を下降させる。
【００３５】
そして、滑りが良好なマット２９を引っ張って、マット２９と被検体３０とをクレードル４２の第１の突出部４２ａを介してクレードル本体部４２ｃ上に移し換える。
【００３６】
このような構成によれば、クレードル４２の第１の突出部４２ａの下にストレッチャー２５の側部を潜り込ませ、テーブル本体４１を下降させることにより、第１の突出部４２ａの上面とマット３２の被検体載置面とが略同じ高さになると共に、クレードル４２のクレードル本体部４２ｃとストレッチャー２５上の被検体３０との距離が短くなる。
【００３７】
よって、被検体３０を略平行に搬送でき、被検体３０に姿勢変化を強いることなくなり、被検体にとって負担が少なくなる。
又、搬送距離も短くなるので、作業者にとって作業性が向上し、被検体にとっても搬送時間が短くなり、負担が少なくなる。
【００３８】
更に、本実施の形態例では、クレードル４２の両側に第１及び第２の突出部４２ａ,４２ｂを形成したことにより、MR装置の設置場所が限定されず、又、最短距離で被検体３０が載置されるストレッチャー２５をテーブルに横付けできるので、作業者にとって作業性がよくなる。
【００３９】
又、テーブル本体４１に第１及び第２のガード５２,６２を設けたことにより、これらのガード５２,６２を使用状態とすることで、クレードル４２上に載置される被検体３０の脱落を防止することができる。
【００４０】
尚、本発明は、上記実施の形態例に限定するものではない。上記実施の形態例では、マット３２上に滑利の良好なマット２９を用いたが、タオル等でもよい。
又、使用状態の第１及び第２のガード５２,６２を点滴時の被検体３０の腕乗せとしても利用可能である。
【００４１】
【発明の効果】
以上述べたように第１の発明によれば、クレードルを被検体が載置されるクレードル本体部、及び、該クレードル本体部の少なくとも一方の側部より側方に突出し、横付けされた搬送機の被検体が載置されたマット近傍まで伸びる突出部から構成し、クレードルの突出部の下に搬送機の側部を潜り込ませ、テーブル本体を下降させることにより、突出部の上面とマットの被検体載置面とが略同じ高さになると共に、クレードルのクレードル本体部と搬送機上の被検体との距離が短くなる。
【００４２】
よって、被検体を略水平に搬送できるので、被検体に姿勢変化を強いることなくなり、被検体にとって負担が少なくなる。
又、搬送距離も短くなるので、作業者にとって作業性が向上し、被検体にとっても搬送時間が短くなり、負担が少なくなる。
【００４３】
第２の発明によれば、前記クレードルの突出部を前記クレードル本体部の両方の側部に設けたことにより、MR装置や放射線CT装置の設置場所が限定されず、又、最短距離で被検体が載置される搬送機をテーブルに横付けできるので、作業者にとって作業性がよくなる。
【００４４】
第３の発明によれば、使用時には、前記クレードルの被検体載置面の側部近傍から上方に向かって延出する部分を有し、格納時には、前記クレードルの突出部とフロアとの間の空間で、横付けされる前記被検体の搬送機と干渉しない空間に位置するガードを設けたことにより、ガードの使用時には、クレードルの被検体載置面の側部近傍から上方に向かって延出する部分を有しているので、クレードル上に載置される被検体の脱落を防止する。
【００４５】
又、ガードの格納時には、クレードルの突出部とフロアとの間の空間で、横付けされる前記被検体の搬送機と干渉しない空間に位置するので、搬送機の被検体載置部をテーブルに横付けでき、被検体の移動距離が短くなり、作業者にとって作業性がよくなる。
【００４６】
更に、被検体にとっても、搬送時間が短くなり、負担が少なくなる。
【図面の簡単な説明】
【図１】本発明の一実施の形態例の構成図である。
【図２】  MR装置の上面図である。
【図３】  MR装置の正面図である。
【図４】図２における左側面拡大図である。
【図５】従来例を説明する構成図である。
【符号の説明】
４０  テーブル
４１  テーブル本体
４２  クレードル
４２ａ  第１の突出部
４２ｂ  第２の突出部
４２ｃ  クレードル本体部
【図１】
0003688090.tif 000002
【図２】
0003688090.tif 000003
【図３】
0003688090.tif 000004
【図４】
0003688090.tif 000005
【図５】
0003688090.tif 000006